(57)【要約】【課題】キャスターと椅子の足との組み立てがより安定的になり、キャスターが移動する時、キャスター軸と椅子の足との摩擦による騒音の発生を防止できるオフィス椅子のキャスター軸の構造を提供する。【解決手段】椅子の足の端部にキャスターのキャスター軸が組立てられるための組立て孔があり、キャスター軸の上端の近くに環状槽が設けられ、環状槽に上、下槽壁が設けられ、また、キャスター軸の環状槽にＳ形状サクリップが嵌合され、Ｓ形状サクリップが円弧状で環状槽の上、下槽壁に抵当し、Ｓ形状サクリップが環状槽の上、下槽壁に抵当して摺動できなく、また、Ｓ形状サクリップの外縁が弾性的に組立て孔の内壁に抵当する。【選択図】図２
0003124238.tif 000002
【実用新案登録請求の範囲】
【請求項１】
主として、椅子の足の端部に組立て孔が設けられ、キャスターに、椅子の足に組立てるためのキャスター軸があり、当該キャスター軸の上端の近くに環状槽が設けられ、当該環状槽に、上、下槽壁が設けられるオフィス椅子のキャスター軸の構造であって、
キャスター軸の環状槽に嵌合されるＳ形状サクリップがあり、当該Ｓ形状サクリップが、円弧状で環状槽の上、下槽壁に抵当し、当該Ｓ形状サクリップが、環状槽の上、下槽壁に抵当して摺動できなく、また、Ｓ形状サクリップの外縁が、弾性的に組立て孔の内壁に抵当するため、キャスターと椅子の足との組み立てが、より安定的になり、キャスターが移動する時、キャスター軸と椅子の足との摩擦による騒音の発生を防止する、
ことを特徴するオフィス椅子のキャスター軸の構造。
【考案の詳細な説明】
【技術分野】
【０００１】
本考案は、オフィス椅子のキャスター軸の構造に関し、特に、椅子の端部に設けられる組立て孔により、キャスターのキャスター軸と組立て、キャスター軸の上端の近くに環状槽が設けられ、当該環状槽に、上、下槽壁が設けられ、また、キャスター軸の環状槽にＳ形状サクリップが嵌合され、そして、Ｓ形状サクリップの外縁が、弾性的に組立て孔の内壁に抵当することにより、キャスターと椅子の足との組み立てがより安定的で、キャスターが移動する時、騒音の発生を防止できるものに関する。
【背景技術】
【０００２】
一般のオフィス椅子のキャスター１０は、図１のように、キャスター１０に、椅子の足１２の組立て孔１２０に挿設するための支軸１１があり、当該支軸１１の上端の近くに、Ｃ形状サクリップ１３が嵌合されるための環状槽１１０が設けられ、当該支軸１１が椅子の足１２の組立て孔１２０に挿設される時、当該Ｃ形状サクリップ１３により孔壁に抵当することにより位置付けられるが、当該Ｃ形状サクリップ１３が環状槽１１０に嵌合された後、ギャップが存在するため、ユーザーが、椅子を座る時、または、椅子に座るまま移動する時、“こつこつ”或いは“ちーちー”の音が発生し、それは、椅子に負荷する重量が、座る動作や体の姿勢を変更する動作により、瞬間的に変化し、そのため、椅子の足１２とキャスター１０とを結合する支軸１１が、椅子上の負荷により、支軸１１上のＣ形状サクリップ１３が、環状槽１１０内で摺動して、椅子の足１２の組立て孔１２０との摩擦によるものであり、また、このような構造は、当該Ｃ形状サクリップ１３自身が、上下に圧縮できる弾性を持たないため、環状槽１１０に嵌合されて、長期的に使用された後、当該Ｃ形状サクリップ１３と環状槽１１０との接触が、磨耗により、面の接触から点の接触になり、そのため、当該Ｃ形状サクリップ１３と環状槽１１０との間にギャップが生成し、ユーザーが椅子に座ると、当該Ｃ形状サクリップ１３と環状槽１１０とが衝突して雑音が発生する。
【考案の開示】
【考案が解決しようとする課題】
【０００３】
本考案の主な目的は、使用する時、騒音が発生しなく、キャスターと椅子の足との組み立てがより安定的である、従来のキャスターのキャスター軸の欠点を改善できるオフィス椅子のキャスター軸の構造を提供する。
【課題を解決するための手段】
【０００４】
本考案は、主として、椅子の足の端部に組立て孔が設けられ、キャスターに、椅子の足に組立てるためのキャスター軸があり、当該キャスター軸の上端の近くに環状槽が設けられ、当該環状槽に、上、下槽壁が設けられるオフィス椅子のキャスター軸の構造であって、キャスター軸の環状槽に嵌合されるＳ形状サクリップがあり、当該Ｓ形状サクリップが、円弧状で環状槽の上、下槽壁に抵当し、当該Ｓ形状サクリップが、環状槽の上、下槽壁に抵当して摺動できなく、また、Ｓ形状サクリップの外縁が、弾性的に組立て孔の内壁に抵当するため、キャスターと椅子の足との組み立てが、より安定的になり、キャスターが移動する時、キャスター軸と椅子の足との摩擦による騒音の発生を防止することを特徴するオフィス椅子のキャスター軸の構造である。
【考案を実施するための最良の形態】
【０００５】
本考案は、図２乃至４を参照しながら、主として、椅子の足２の端部に、組立て孔２０が設けられ、キャスター３は、椅子の足２に組立てられ、椅子の足２の組立て孔２０に挿設するための、キャスター３から上へ伸ばすキャスター軸３０があり、キャスター軸３０の上端の近くに、環状槽３００が設けられ、当該環状槽３００は、適当な幅を持ち、上下に、それぞれ、上、下槽壁３０１、３０２が設けられ、また、キャスター軸３０の環状槽３００に嵌合されるＳ形状サクリップ４があり、当該Ｓ形状サクリップ４の両端部４０と円弧部が、環状槽３００の上、下槽壁３０１、３０２に抵当する。
【０００６】
組み立てる時、図２乃至４のように、Ｓ形状サクリップ４を、両端部４０と円弧部が環状槽３００の上、下槽壁３０１、３０２に抵当して環状槽３００内で摺動できないように、キャスター軸３０の環状槽３００に嵌合し、そして、キャスター３のキャスター軸３０を、椅子の足２の組立て孔２０内に挿設し、これにより、Ｓ形状サクリップ４が、円弧状で、環状槽３００の上、下槽壁３０１、３０２に抵当し、また、Ｓ形状サクリップ４の外縁が、弾性的に組立て孔２０の内壁に抵当する。
【０００７】
本考案は、上記の設計により、キャスター３と椅子の足２との組み立てが、より安定的になり、キャスター３が移動する時、キャスター軸３０と椅子の足２との摩擦による騒音の発生を防止し、また、当該Ｓ形状サクリップ４は、円弧状で、その本身が、上下に圧縮される弾性を持つため、環状槽３００に嵌合された後、環状槽３００との接触面は、長期的に重い力が負荷されることによる磨耗がまく、耐用寿命が長くなるだけでなく、雑音が、完全に発生しない。
【図面の簡単な説明】
【０００８】
【図１】従来のキャスター軸の断面図
【図２】本考案の立体分解図
【図３】本考案の組立て図
【図４】本考案の断面図
【符号の説明】
【０００９】
１０          キャスター
１１          支軸
１１０        環状槽
１２          椅子の足
１２０        組立て孔
１３          Ｃ形状サクリップ
２            椅子の足
２０          組立て孔
３            キャスター
３０          キャスター軸
３００        環状槽
３０１        上槽壁
３０２        下槽壁
４            Ｓ形状サクリップ
４０          端部
【図１】
0003124238.tif 000003
【図２】
0003124238.tif 000004
【図３】
0003124238.tif 000005
【図４】
0003124238.tif 000006